(57)【要約】【課題】  所望音楽の記録された光ディスクを簡単かつ迅速に見つける。【解決手段】  ディスクボリュームラベルと多数の圧縮音楽データファイルが記録された光ディスク１−ｉが装てんされる度に、コントロール部１０はディスク読み取り部２を制御して、ディスクボリュームラベルと、各圧縮音楽データファイルの付加文字情報とを読み取らせ、各圧縮音楽データファイル別に、付加文字情報中の音楽タイトル名、アーティスト名、アルバム名とを組にして書き換え自在で不揮発性のメモリからなるファイル管理情報記憶部８に重複する組がないように追加して記憶させる。ユーザが操作部７で検索モードとし、所望音楽の音楽タイトル名とアーティスト名を入力すると、コントロール部１０はファイル管理情報記憶部８の中から入力内容と一致する音楽案内文字情報と組にして記憶されたディスクボリュームラベルを検索し、表示部９に表示させる。【選択図】        図１
2005346893.tif 000002
【特許請求の範囲】
【請求項１】
記録媒体識別情報と曲別の多数の音楽データファイルとが記録され、音楽データファイルには音楽データと、音楽のタイトル名、アーティスト名、アルバム名の内、少なくとも１つの項目の音楽案内文字情報を含む付加文字情報とが記録された音楽情報記録媒体を対象として、該音楽情報記録媒体の記録情報の読み取りを行う読み取り手段と、読み取り手段を制御して、音楽情報記録媒体から音楽データファイルの音楽データを読み取らせ、該読み取らせた音楽データから音楽信号を再生して出力する再生手段と、を備えた再生装置において、
音楽データファイル別に、付加文字情報中の全部または所定の一部の項目の音楽案内文字情報と記録媒体識別情報とを組にして記憶するファイル管理情報記憶手段と、
読み取り手段を制御して、該読み取り手段に装填された音楽情報記録媒体から記録媒体識別情報と、各音楽データファイルの付加文字情報とを読み取らせ、音楽データファイル別に、付加文字情報中の全部または所定の一部の項目の音楽案内文字情報と、記録媒体識別情報とを組にしてファイル管理情報記憶手段に重複する組がないように追加して記憶させるファイル管理制御手段と、
所望の音楽の１又は複数の項目の音楽案内文字情報を入力する入力手段と、
ファイル管理情報記憶手段の中から入力手段での入力内容と一致する１又は複数の項目の音楽案内文字情報と組にして記憶された記録媒体識別情報を検索する検索手段と、
検索手段で検索された記録媒体識別情報をユーザに告知する検索情報告知手段と、
を備えたことを特徴とする再生装置。
【請求項２】
音楽データファイルの音楽データは圧縮データであり、再生手段は圧縮データを伸長して音楽信号を再生するようにしたこと、
を特徴とする請求項１記載の再生装置。
【請求項３】
記録媒体識別情報の告知をする記録媒体識別情報告知手段と、
読み取り手段を制御して、該読み取り手段に装填された音楽情報記録媒体から記録媒体識別情報を読み取らせ、記録媒体識別情報告知手段を制御して記録媒体識別情報をユーザに告知させる記録媒体識別情報告知制御手段と、
を備えたこと、
を特徴とする請求項１または２記載の再生装置。
【請求項４】
記録媒体識別情報と曲別の多数の音楽データファイルとが記録され、音楽データファイルには音楽データと、音楽のタイトル名、アーティスト名、アルバム名の内、少なくとも１つの項目の音楽案内文字情報を含む付加文字情報とが記録された音楽情報記録媒体を対象として、該音楽情報記録媒体の記録情報の読み取りを行う読み取り手段と、音楽情報記録媒体の中からユーザが再生対象曲を選択する選択手段と、読み取り手段を制御して、音楽情報記録媒体から選択手段で選択された再生対象曲の音楽データファイルの音楽データを読み取らせ、該読み取らせた音楽データから音楽信号を再生して出力する再生手段と、を備えた再生装置において、
音楽データファイル別に、付加文字情報中の全部または所定の一部の項目の音楽案内文字情報と記録媒体識別情報とを組にして記憶するファイル管理情報記憶手段と、
読み取り手段を制御して、該読み取り手段に装填された音楽情報記録媒体から記録媒体識別情報と、各音楽データファイルの付加文字情報とを読み取らせ、音楽データファイル別に、付加文字情報中の全部または所定の一部の項目の音楽案内文字情報と、記録媒体識別情報とを組にしてファイル管理情報記憶手段に重複する組がないように追加して記憶させるファイル管理制御手段と、
所望の音楽の１又は複数の項目の音楽案内文字情報を入力する入力手段と、
ファイル管理情報記憶手段の中から入力手段での入力内容と一致する１又は複数の項目の音楽案内文字情報と組にして記憶された記録媒体識別情報を検索する検索手段と、
検索手段で検索された記録媒体識別情報をユーザに告知する検索情報告知手段と、
を備えたことを特徴とする再生装置。
【請求項５】
音楽データファイルの音楽データは圧縮データであり、再生手段は圧縮データを伸長して音楽信号を再生するようにしたこと、
を特徴とする請求項４記載の再生装置。
【請求項６】
記録媒体識別情報の告知をする記録媒体識別情報告知手段と、
読み取り手段を制御して、該読み取り手段に装填された音楽情報記録媒体から記録媒体識別情報を読み取らせ、記録媒体識別情報告知手段を制御して記録媒体識別情報をユーザに告知させる記録媒体識別情報告知制御手段と、
を備えたこと、
を特徴とする請求項４または５記載の再生装置。
【請求項７】
記録媒体識別情報と曲別の多数の動画付音楽データファイルとが記録され、動画付音楽データファイルには動画付音楽データと、音楽のタイトル名、アーティスト名、アルバム名の内、少なくとも１つの項目の音楽案内文字情報を含む付加文字情報とが記録された音楽情報記録媒体を対象として、該音楽情報記録媒体の記録情報の読み取りを行う読み取り手段と、読み取り手段を制御して、音楽情報記録媒体から動画付音楽データファイルの動画付音楽データを読み取らせ、該読み取らせた動画付音楽データから音楽信号または音楽信号と映像信号を再生して出力する再生手段と、を備えた再生装置において、
動画付音楽データファイル別に、付加文字情報中の全部または所定の一部の項目の音楽案内文字情報と記録媒体識別情報とを組にして記憶するファイル管理情報記憶手段と、
読み取り手段を制御して、該読み取り手段に装填された音楽情報記録媒体から記録媒体識別情報と、各動画付音楽ファイルデータの付加文字情報とを読み取らせ、動画付音楽データファイル別に、付加文字情報中の全部または所定の一部の項目の音楽案内文字情報と、記録媒体識別情報とを組にしてファイル管理情報記憶手段に重複する組がないように追加して記憶させるファイル管理制御手段と、
所望の音楽の１又は複数の項目の音楽案内文字情報を入力する入力手段と、
ファイル管理情報記憶手段の中から入力手段での入力内容と一致する１又は複数の項目の音楽案内文字情報と組にして記憶された記録媒体識別情報を検索する検索手段と、
検索手段で検索された記録媒体識別情報をユーザに告知する検索情報告知手段と、
を備えたことを特徴とする再生装置。
【請求項８】
動画付音楽データファイルの動画付音楽データは圧縮データであり、再生手段は圧縮データを伸長して音楽信号または音楽信号と映像信号を再生するようにしたこと、
を特徴とする請求項７記載の再生装置。
【請求項９】
記録媒体識別情報の告知をする記録媒体識別情報告知手段と、
読み取り手段を制御して、該読み取り手段に装填された音楽情報記録媒体から記録媒体識別情報を読み取らせ、記録媒体識別情報告知手段を制御して記録媒体識別情報をユーザに告知させる記録媒体識別情報告知制御手段と、
を備えたこと、
を特徴とする請求項７または８記載の再生装置。
【請求項１０】
記録媒体識別情報と曲別の多数の動画付音楽データファイルとが記録され、動画付音楽データファイルには動画付音楽データと、音楽のタイトル名、アーティスト名、アルバム名の内、少なくとも１つの項目の音楽案内文字情報を含む付加文字情報とが記録された音楽情報記録媒体を対象として、該音楽情報記録媒体の記録情報の読み取りを行う読み取り手段と、音楽情報記録媒体の中からユーザが再生対象曲を選択する選択手段と、読み取り手段を制御して、音楽情報記録媒体から選択手段で選択された再生対象曲の動画付音楽データファイルの動画付音楽データを読み取らせ、該読み取らせた動画付音楽データから音楽信号または音楽信号と映像信号を再生して出力する再生手段と、を備えた再生装置において、
動画付音楽データファイル別に、付加文字情報中の全部または所定の一部の項目の音楽案内文字情報と記録媒体識別情報とを組にして記憶するファイル管理情報記憶手段と、
読み取り手段に音楽情報記録媒体が装填されると、読み取り手段を制御して記録媒体識別情報と、各動画付音楽データファイルの付加文字情報とを読み取らせ、動画付音楽データファイル別に、付加文字情報中の全部または所定一部の項目の音楽案内文字情報と、記録媒体識別情報とを組にしてファイル管理情報記憶手段に重複する組がないように追加して記憶させるファイル管理制御手段と、
読み取り手段を制御して、該読み取り手段に装填された音楽情報記録媒体から記録媒体識別情報と、各動画付音楽ファイルデータの付加文字情報とを読み取らせ、動画付音楽データファイル別に、付加文字情報中の全部または所定の一部の項目の音楽案内文字情報と、記録媒体識別情報とを組にしてファイル管理情報記憶手段に重複する組がないように追加して記憶させるファイル管理制御手段と、
所望の音楽の１又は複数の項目の音楽案内文字情報を入力する入力手段と、
ファイル管理情報記憶手段の中から入力手段での入力内容と一致する１又は複数の項目の音楽案内文字情報と組にして記憶された記録媒体識別情報を検索する検索手段と、
検索手段で検索された記録媒体識別情報をユーザに告知する検索情報告知手段と、
を備えたことを特徴とする再生装置。
【請求項１１】
動画付音楽データファイルの動画付音楽データは圧縮データであり、再生手段は圧縮データを伸長して音楽信号または音楽信号と映像信号を再生するようにしたこと、
を特徴とする請求項１０記載の再生装置。
【請求項１２】
記録媒体識別情報の告知をする記録媒体識別情報告知手段と、
読み取り手段を制御して、該読み取り手段に装填された音楽情報記録媒体から記録媒体識別情報を読み取らせ、記録媒体識別情報告知手段を制御して記録媒体識別情報をユーザに告知させる記録媒体識別情報告知制御手段と、
を備えたこと、
を特徴とする請求項１０または１１記載の再生装置。
【発明の詳細な説明】
【技術分野】
【０００１】
本発明は再生装置に係り、とくに多数の音楽データファイル又は動画付音楽データファイルが記録された記録媒体を再生して音楽信号又は音楽信号と映像信号を再生する再生装置に関する。
【背景技術】
【０００２】
音楽データの記録媒体である音楽ＣＤ( コンパクトディスク）は容量の制約から１枚当たりの合計演奏時間が最大７６分なので多くても１０曲程度しか記録されていなかった。携帯型のポータブルプレーヤ又は車載型のカーオーディオで多数の曲を聴取したい場合、多数枚の音楽ＣＤを持運ばなければならず不便であった。近年、パーソナルコンピュータを用いて音楽ＣＤに記録された曲別の非圧縮の音楽データをＭＰ３（ＭＰＥＧ１レイヤ３と呼ばれる音声圧縮技術を使った音声フォーマット）、ＷＭＡ（ウインドウズメディアオーディオと呼ばれる音声圧縮技術を使った音声フォーマット。ＭＰ３と略同じ音質をＭＰ３の約半分のデータ量で実現）の形式で圧縮して圧縮音楽データファイルを作成し、多数の圧縮音楽データファイルをまとめて１枚のＣＤ−Ｒ、ＣＤ−ＲＷ等の光ディスクに記録することで、１枚で数百曲分の音楽を記録した記録媒体を作成可能となった。ＭＰ３、ＷＭＡの圧縮音楽データファイルの記録された光ディスクは、携帯型または車載型または据え置き型のＭＰ３／ＷＭＡプレーヤに装填して再生させることができる。
【０００３】
ＣＤ−Ｒ、ＣＤ−ＲＷ等の記録媒体には、多数の圧縮音楽データファイルの各ファイル名が記録されており、また、各圧縮音楽データファイルには音楽のタイトル名等の付加文字情報が含まれている。従来のＭＰ３／ＷＭＡプレーヤは、記録媒体が装填されると記録媒体中の各圧縮音楽データファイルのファイル名又は付加文字情報中の音楽のタイトル名等を読み出し、表示部にファイル名又はタイトル名をリスト表示させる。ファイルの数に比較して表示部が小さいので、操作キーでのユーザのスクロール操作に従いリストをスクロール表示する。操作キーでユーザがリストの中から所望曲を選択し、１曲再生を指示すると、ＭＰ３／ＷＭＡプレーヤは記録媒体から該当する圧縮音楽データファイルを読み出し、圧縮音楽データを伸長して音楽信号を再生出力する。また、操作キーでユーザが連続再生を指示すると、ＭＰ３／ＷＭＡプレーヤは記録媒体から各圧縮音楽データファイルを記録順に読み出し、圧縮音楽データを伸長して音楽信号を再生出力する。
【０００４】
ところで、１枚のＣＤ−Ｒ、ＣＤ−ＲＷ等の記録媒体には２百乃至３百曲分の圧縮音楽データファイルが収録可能であり、５０枚有れば総曲数は１万乃至１万５千曲もの数となる。ユーザは圧縮音楽データファイルがどんな曲について作成済であるか漠然と把握しているだけで、どの曲の圧縮音楽データファイルがどの記録媒体に収納されているかなどを正確に認識してはいない。よって、或る所望曲の圧縮音楽データファイルが収録された記録媒体を探したいとき、１枚１枚取り替えながらＭＰ３／ＷＭＡプレーヤに装填し、ファイル名又はタイトル名のリストを表示させて探さなければならず、大変手間の掛かる作業となっていた。
【０００５】
なお、チェンジャ式ＭＤ（ミニディスク）プレーヤの中には、棚別に複数枚のＭＤを収納する収納部について、棚番号別にユーザがＭＤのタイトル名（ＭＤにダビングした元の音楽ＣＤのアルバム名等）を入力してメモリに登録しておくと、棚毎のＭＤのタイトル名を表示できるようにしたものがある。しかし、ＭＤのタイトル名を登録できるのは棚の数分だけであり、かつ棚番号とタイトル名が対応付けられることから、収納部からＭＤを外部に取り出した場合は当該ＭＤのタイトル名を削除して棚とタイトル名の整合性を保つ必要があるため、チェンジャ式ＭＤプレーヤに現に収納されていないＭＤについてはプレーヤでタイトル名を管理することはできない。
【０００６】
【特許文献１】特開２００１−１７６１７６号公報
【特許文献２】特開２００１−２６６５５４号公報
【発明の開示】
【発明が解決しようとする課題】
【０００７】
本発明は上記した従来技術の問題に鑑み、或る所望曲の音楽データファイルが多数の記録媒体のどれに記録されているか容易に把握できる再生装置を提供することを、その目的とする。
【課題を解決するための手段】
【０００８】
請求項１の発明は、記録媒体識別情報と曲別の多数の音楽データファイルとが記録され、音楽データファイルには音楽データと、音楽のタイトル名、アーティスト名、アルバム名の内、少なくとも１つの項目の音楽案内文字情報を含む付加文字情報とが記録された音楽情報記録媒体を対象として、該音楽情報記録媒体の記録情報の読み取りを行う読み取り手段と、読み取り手段を制御して、音楽情報記録媒体から音楽データファイルの音楽データを読み取らせ、該読み取らせた音楽データから音楽信号を再生して出力する再生手段と、を備えた再生装置において、音楽データファイル別に、付加文字情報中の全部または所定の一部の項目の音楽案内文字情報と記録媒体識別情報とを組にして記憶するファイル管理情報記憶手段と、読み取り手段を制御して、該読み取り手段に装填された音楽情報記録媒体から記録媒体識別情報と、各音楽データファイルの付加文字情報とを読み取らせ、音楽データファイル別に、付加文字情報中の全部または所定の一部の項目の音楽案内文字情報と、記録媒体識別情報とを組にしてファイル管理情報記憶手段に重複する組がないように追加して記憶させるファイル管理制御手段と、所望の音楽の１又は複数の項目の音楽案内文字情報を入力する入力手段と、ファイル管理情報記憶手段の中から入力手段での入力内容と一致する１又は複数の項目の音楽案内文字情報と組にして記憶された記録媒体識別情報を検索する検索手段と、検索手段で検索された記録媒体識別情報をユーザに告知する検索情報告知手段と、を備えたことを特徴としている。
【０００９】
請求項４の発明は、記録媒体識別情報と曲別の多数の音楽データファイルとが記録され、音楽データファイルには音楽データと、音楽のタイトル名、アーティスト名、アルバム名の内、少なくとも１つの項目の音楽案内文字情報を含む付加文字情報とが記録された音楽情報記録媒体を対象として、該音楽情報記録媒体の記録情報の読み取りを行う読み取り手段と、音楽情報記録媒体の中からユーザが再生対象曲を選択する選択手段と、読み取り手段を制御して、音楽情報記録媒体から選択手段で選択された再生対象曲の音楽データファイルの音楽データを読み取らせ、該読み取らせた音楽データから音楽信号を再生して出力する再生手段と、を備えた再生装置において、音楽データファイル別に、付加文字情報中の全部または所定の一部の項目の音楽案内文字情報と記録媒体識別情報とを組にして記憶するファイル管理情報記憶手段と、読み取り手段を制御して、該読み取り手段に装填された音楽情報記録媒体から記録媒体識別情報と、各音楽データファイルの付加文字情報とを読み取らせ、音楽データファイル別に、付加文字情報中の全部または所定の一部の項目の音楽案内文字情報と、記録媒体識別情報とを組にしてファイル管理情報記憶手段に重複する組がないように追加して記憶させるファイル管理制御手段と、所望の音楽の１又は複数の項目の音楽案内文字情報を入力する入力手段と、ファイル管理情報記憶手段の中から入力手段での入力内容と一致する１又は複数の項目の音楽案内文字情報と組にして記憶された記録媒体識別情報を検索する検索手段と、検索手段で検索された記録媒体識別情報をユーザに告知する検索情報告知手段と、を備えたことを特徴としている。
【００１０】
なお、請求項１、４の発明において、音楽データファイルの音楽データはＭＰ３、ＷＭＡ等の形式の圧縮データとし、再生手段は圧縮データを伸長して音楽信号を再生するようにしても良い。
また再生装置に、記録媒体識別情報の告知をする記録媒体識別情報告知手段と、読み取り手段を制御して、該読み取り手段に装填された音楽情報記録媒体から記録媒体識別情報を読み取らせ、記録媒体識別情報告知手段を制御して記録媒体識別情報をユーザに告知させる記録媒体識別情報告知制御手段とを設け、装置に現在装填されている記録媒体の記録媒体識別情報が認識できるようにしても良い。
【００１１】
請求項７の発明は、記録媒体識別情報と曲別の多数の動画付音楽データファイルとが記録され、動画付音楽データファイルには動画付音楽データと、音楽のタイトル名、アーティスト名、アルバム名の内、少なくとも１つの項目の音楽案内文字情報を含む付加文字情報とが記録された音楽情報記録媒体を対象として、該音楽情報記録媒体の記録情報の読み取りを行う読み取り手段と、読み取り手段を制御して、音楽情報記録媒体から動画付音楽データファイルの動画付音楽データを読み取らせ、該読み取らせた動画付音楽データから音楽信号または音楽信号と映像信号を再生して出力する再生手段と、を備えた再生装置において、動画付音楽データファイル別に、付加文字情報中の全部または所定の一部の項目の音楽案内文字情報と記録媒体識別情報とを組にして記憶するファイル管理情報記憶手段と、読み取り手段を制御して、該読み取り手段に装填された音楽情報記録媒体から記録媒体識別情報と、各動画付音楽ファイルデータの付加文字情報とを読み取らせ、動画付音楽データファイル別に、付加文字情報中の全部または所定の一部の項目の音楽案内文字情報と、記録媒体識別情報とを組にしてファイル管理情報記憶手段に重複する組がないように追加して記憶させるファイル管理制御手段と、所望の音楽の１又は複数の項目の音楽案内文字情報を入力する入力手段と、ファイル管理情報記憶手段の中から入力手段での入力内容と一致する１又は複数の項目の音楽案内文字情報と組にして記憶された記録媒体識別情報を検索する検索手段と、検索手段で検索された記録媒体識別情報をユーザに告知する検索情報告知手段と、を備えたことを特徴としている。
【００１２】
請求項１０の発明は、記録媒体識別情報と曲別の多数の動画付音楽データファイルとが記録され、動画付音楽データファイルには動画付音楽データと、音楽のタイトル名、アーティスト名、アルバム名の内、少なくとも１つの項目の音楽案内文字情報を含む付加文字情報とが記録された音楽情報記録媒体を対象として、該音楽情報記録媒体の記録情報の読み取りを行う読み取り手段と、音楽情報記録媒体の中からユーザが再生対象曲を選択する選択手段と、読み取り手段を制御して、音楽情報記録媒体から選択手段で選択された再生対象曲の動画付音楽データファイルの動画付音楽データを読み取らせ、該読み取らせた動画付音楽データから音楽信号または音楽信号と映像信号を再生して出力する再生手段と、を備えた再生装置において、動画付音楽データファイル別に、付加文字情報中の全部または所定の一部の項目の音楽案内文字情報と記録媒体識別情報とを組にして記憶するファイル管理情報記憶手段と、読み取り手段に音楽情報記録媒体が装填されると、読み取り手段を制御して記録媒体識別情報と、各動画付音楽データファイルの付加文字情報とを読み取らせ、動画付音楽データファイル別に、付加文字情報中の全部または所定一部の項目の音楽案内文字情報と、記録媒体識別情報とを組にしてファイル管理情報記憶手段に重複する組がないように追加して記憶させるファイル管理制御手段と、読み取り手段を制御して、該読み取り手段に装填された音楽情報記録媒体から記録媒体識別情報と、各動画付音楽ファイルデータの付加文字情報とを読み取らせ、動画付音楽データファイル別に、付加文字情報中の全部または所定の一部の項目の音楽案内文字情報と、記録媒体識別情報とを組にしてファイル管理情報記憶手段に重複する組がないように追加して記憶させるファイル管理制御手段と、所望の音楽の１又は複数の項目の音楽案内文字情報を入力する入力手段と、ファイル管理情報記憶手段の中から入力手段での入力内容と一致する１又は複数の項目の音楽案内文字情報と組にして記憶された記録媒体識別情報を検索する検索手段と、検索手段で検索された記録媒体識別情報をユーザに告知する検索情報告知手段と、を備えたことを特徴としている。
【００１３】
なお、請求項７、１０の発明において、動画付音楽データファイルの動画付音楽データはＭＰＥＧ（エムペグ）１等の形式の圧縮データとし、再生手段は圧縮データを伸長して音楽信号または音楽信号と映像信号を再生するようにしても良い。
また再生装置に、記録媒体識別情報の告知をする記録媒体識別情報告知手段と、読み取り手段を制御して、該読み取り手段に装填された音楽情報記録媒体から記録媒体識別情報を読み取らせ、記録媒体識別情報告知手段を制御して記録媒体識別情報をユーザに告知させる記録媒体識別情報告知制御手段とを設け、装置に現在装填されている記録媒体の記録媒体識別情報が認識できるようにしても良い。
【発明の効果】
【００１４】
本発明の再生装置によれば、所望の音楽の１又は複数の項目の音楽案内文字情報を入力すると、過去に一度でも装置に装填したことのある記録媒体中に、入力された１又は複数の項目の音楽案内文字情報と一致する音楽データファイルが記録された媒体があったなら、ユーザに当該記録媒体の記録媒体識別情報が告知される。従って、ユーザは事前に各記録媒体の表面又はケース等に記録媒体識別情報を記しておくことで、手持ちの中のどの記録媒体に所望曲が記録されているか容易に把握することができる。
【発明を実施するための最良の形態】
【００１５】
パーソナルコンピュータを用いて、音楽ＣＤに記録された曲別の音楽信号から圧縮音楽データファイルであるＭＰ３ファイル又はＷＭＡファイルを作成し、ＣＤ−Ｒ、ＣＤ−ＲＷに記録するとき、ファイル名のほか、ディスクを識別するための名前であるディスクボリュームラベルも自動的に記録させる。このディスクボリュームラベルはパーソナルコンピュータの画面に表示されるので、ユーザはディスクボリュームラベルをディスクの表面又はケースに記しておくようにする。また、ＭＰ３ファイル又はＷＭＡファイルを作成する際、ネットワークを介してパーソナルコンピュータに接続されたＣＤＤＢ（コンパクトディスクデータベース）ウェブサイトから、音楽ＣＤの各曲毎に音楽タイトル名、アーティスト名、アルバム名等を入手し、ＭＰ３ファイル又はＷＭＡファイル中に圧縮音楽データとは別に付加できるＩＤ３ｔａｇ又はＷＭＡｔａｇと呼ばれる文字情報に追加しておくことができる。ＭＰ３／ＷＭＡプレーヤは、多数のＭＰ３ファイル又はＷＭＡファイルの記録されたＣＤ−Ｒ、ＣＤ−ＲＷの光ディスクが装填されると、自動的にディスクボリュームラベルを含むディスク管理情報と、各圧縮音楽データファイルの付加文字情報を読み出し、書き換え自在で不揮発性のメモリに、圧縮音楽データファイル別に、ディスクボリュームラベルと、音楽タイトル名、アーティスト名、アルバム名の３つの項目の音楽案内文字情報とを組にして、重複する組が生じないようにしながら追加記憶する。これにより、ユーザが個々の圧縮音楽データファイル毎に、音楽タイトル名、アーティスト名、アルバム名、ディスクボリュームラベルを入力しなくて済む。メモリに空きが無くなったとき、ファイル作成日時の古い組情報に上書して追加する。所望音楽の圧縮音楽データファイルの記録された光ディスクがどれか調べたいとき、音楽タイトル名、アーティスト名、アルバム名の内、１又は複数の項目の音楽案内文字情報を入力すると、メモリの中から入力文字情報と一致する音楽案内文字情報と組にして記憶されたディスクボリュームラベルを全て検索して表示する。
【実施例１】
【００１６】
図１は本発明の一つの実施例に係るポータブルＭＰ３／ＷＭＡプレーヤの構成を示すブロック図である。
図１において、１−１、１−２、・・１−ｉ、・・は各々１枚の中に多数のＭＰ３ファイル又はＷＭＡファイルの圧縮音楽データファイルの記録されたＣＤ−Ｒ又はＣＤ−ＲＷの光ディスクである。光ディスク１−ｉの中には、ディスク管理情報と多数の圧縮音楽データファイルが記録されている。ディスク管理情報には、ＴＯＣ情報（ディスクの種別を含む）、ディスク識別情報としてのディスクボリュームラベル、各圧縮音楽データファイルのファイル名とディスク上での記録位置等が含まれる。各圧縮音楽データファイルには、曲の実体データである圧縮音楽データとファイル名、ファイル作成日時のほか、ＩＤ３ｔａｇ又はＷＭＡｔａｇと呼ばれるタグによる付加文字情報として、音楽タイトル名、アーティスト名、アルバム名、アルバム製作年、ジャンル等も記録されている。
【００１７】
図２はパーソナルコンピュータを用いて多数の音楽ＣＤに記録された曲別の音楽データをＣＤ−Ｒ又はＣＤ−ＲＷの光ディスクにＭＰ３ファイル又はＷＭＡファイルの形式で記録する方法の説明図である。
まず、パーソナルコンピュータ２０のハードディスク２１にインストールされた所定の圧縮音楽データファイル作成・書き込みプログラムを立ち上げ、圧縮音楽データファイル化を所望する音楽ＣＤ３０−１を装填し、ＭＰ３ファイル又はＷＭＡファイルの圧縮音楽データファイルの作成を指示する。すると、パーソナルコンピュータ２０は音楽ＣＤ３０−１の曲別の音楽データのリッピングとエンコード処理を行い、曲別にＷＡＶデータに変換したあと更にＭＰ３データ又はＷＭＡデータに圧縮変換し、ファイル化してハードディスク１１に記憶させる。各ＭＰ３ファイル又はＷＭＡファイルにはソフトで自動生成された互いに異なるファイル名、例えば「m00001.MP3」、「w00001.WMA」、・・が付与される（「.MP3」、「.WMA」の部分は各々、ファイルの種類がＭＰ３ファイル、ＷＭＡファイルであることを示す）。この際、パーソナルコンピュータ2 ０は圧縮音楽データファイル作成・書き込みプログラムに従い公衆ネットワーク2 ２を介して接続されたＣＤＤＢ（コンパクトディスクデータベース）ウェブサイトサーバ2 ３にアクセスし、音楽ＣＤ３０−１のＴＯＣ情報の一部を検索キー情報にして音楽ＣＤ3
０−１の曲別に音楽タイトル名、アーティスト名、アルバム名、アルバム製作年、ジャンル等を入手し、ＭＰ３ファイルはＩＤ３ｔａｇ、ＷＭＡファイルはＷＭＡｔａｇと呼ばれるタグ文字情報として各ファイル内に自動で付加する。同様の作業を他の所望の音楽ＣＤ3 ０−２、・・についても行う。
【００１８】
ＭＰ３ファイル又はＷＭＡファイルの作成が終ったら、未記録のＣＤ−Ｒ又はＣＤ−ＲＷの光ディスク１−１をパーソナルコンピュータ２０に装填し、ハードディスク２１の中から記録対象のＭＰ３ファイル又はＷＭＡファイルを複数指定し、書き込みを指示する。すると、パーソナルコンピュータ２０は圧縮音楽データファイル作成・書き込みプログラムに従い、指定された複数のＭＰ３ファイル又はＷＭＡファイルをハードディスク２１から読み出し、光ディスク１−１に記録する。この際、自動生成したディスクボリュームラベル、例えば「ａｂｃｄ００００１」と、各圧縮音楽データファイルのファイル名及び光ディスク上のファイル記録位置等もディスク管理情報として記録する（図１参照。なお、光ディスクがＣＤ−ＲであるかＣＤ−ＲＷであるかの種別はＴＯＣ領域のＴＯＣ情報中に最初から記録されている）。１枚の光ディスク１−１には２百乃至３百曲分の圧縮音楽データファイルが記録可能であるが、曲数が多ければ、記録済みの光ディスク１−１を未記録の別の光ディスク１−２、・・に逐次、交換しながら残りのＭＰ３ファイル又はＷＭＡファイルを記録する。この場合、各光ディスクには圧縮音楽データファイル作成・書き込みプログラムにより、互いに異なるディスクボリュームラベルが自動生成されて記録される。例えば光ディスク１−２には「ａｂｃｄ００００２」が自動生成されて記録される。
【００１９】
図１に戻って、２はディスク読み取り部であり、光ディスクの記録情報を読み取って出力する。３はディスク読み取り部に対する光ディスクの装てん／取り外しを検出する装てん／取り外し検出部、４はディスク読み取り部２が読み取ったＭＰ３ファイル又はＷＭＡファイル中の圧縮音楽データを入力し、圧縮形式に応じた伸長及びＤ／Ａ変換をして音楽信号を出力するデコーダ部、５は音楽信号を電力増幅するアンプ部、６は音楽信号で駆動されるヘッドホンである。７はユーザがＣＤ−Ｒ又はＣＤ−ＲＷの光ディスクに記録されたＭＰ３ファイル又はＷＭＡファイルの再生操作（ここでは連続再生又はダイレクト選曲再生）をしたり、所望の音楽の音楽タイトル名、アーティスト名、アルバム名の内、１又は複数の項目の音楽案内文字情報を入力して所望の音楽の圧縮音楽データファイルの記録された光ディスクの識別情報（＝ディスクボリュームラベル）の検索操作をする操作部、８はフラッシュメモリ等の書き換え可能な不揮発性半導体メモリによるファイル管理情報記憶部であり、圧縮音楽データファイル別に、記録されている光ディスクのディスクボリュームラベルと、音楽タイトル名、アーティスト名、アルバム名の３つの項目の音楽案内文字情報及びファイル作成日時とを組にした組情報を、重複する組情報が生じないように記憶する（図３参照）。ファイル管理情報記憶部８はアドレス０〜ｚまでの記憶域を有する。９は表示部であり、各種の操作支援用画面表示、装置に装てん中のディスクボリュームラベル表示、所望音楽の記録された光ディスクの検索画面表示等をする。
【００２０】
１０はマイコン構成のコントロール部であり、装てん／取り出し検出部３で光ディスクの装てんが検出されるとディスク読み取り部２を制御してディスク管理情報と各ＭＰ３ファイル又はＷＭＡファイルの付加文字情報を読み取らせ、ディスクボリュームラベルを表示させるとともに、圧縮音楽データファイル別に、ディスクボリュームラベルと、音楽タイトル名、アーティスト名、アルバム名の３つの項目の音楽案内文字情報及びファイル作成日時とを組にした組情報を、重複が生じないようにしてファイル管理情報記憶部８に追加したり、操作部７での連続再生操作に従いディスク読み取り部２とデコード部４を制御し、光ディスクに記録された各圧縮音楽データファイルを連続的に読み取らせながら各曲を連続再生させたり、操作部７でのダイレクト選曲操作に従いディスク読み取り部２とデコード部４を制御し、光ディスクに記録された内、所望音楽の圧縮音楽データファイルを読み取らせて１曲再生させたり、ディスク検索モード下でユーザの入力した所望の音楽の音楽タイトル名、アーティスト名、アルバム名の内、１又は複数の項目の音楽案内文字情報に一致する音楽案内文字情報と組にしてファイル管理情報記憶部８に記憶されたディスクボリュームラベルを検索し、検索結果をユーザに告知するため表示部９に表示させたりする。
【００２１】
図３はファイル管理情報記憶部８に記憶される組情報の説明図、図４乃至図７はコントロール部１０の制御処理を示すフローチャート、図８は光ディスク１−２の記録内容の説明図、図９は表示部９での表示例の説明図であり、以下、これらの図を参照してポータブルＭＰ３／ＷＭＡプレーヤの動作を説明する。なお、ファイル管理情報記憶部８は８Ｍバイトの容量を持ち、約６万曲分の組情報を登録可能であるとし、最初は何も書き込まれていないものとする。また、プレーヤには光ディスクが未装てんであるとする。
（１）光ディスクの装てん
コントロール部１０は装てん／取り出し検出部３で光ディスクの装てんが検出されたか又は操作部７で検索モードオン操作がされたかチェックしており（図４のステップＳ１０、Ｓ１１）、ユーザが多数のＭＰ３ファイル又はＷＭＡファイルが記録されたＣＤ−Ｒ又はＣＤ−ＲＷの光ディスク１−１を再生させようと思い光ディスク１−１をディスク読み取り部２に装てんすると装てん／取り出し検出部３から装てん検出信号がコントロール部１０に入力される。するとコントロール部１０はディスク装てん有りと判断し（ステップＳ１０）、ディスク装てん中を示すフラグＦを立てディスク読み取り部２を制御して光ディスク１−１からＴＯＣ情報を含むディスク管理情報を読み取らせて入力し図示しない内蔵メモリに一時記憶させたあと、ＣＤ−Ｒ又はＣＤ−ＲＷか判別し（ステップＳ１２〜Ｓ１４）、ＮＯであれば表示部９にエラー表示させるが（ステップＳ１５）、ここではＹＥＳなので続いて１以上のＭＰ３ファイル又はＷＭＡファイルが記録されているか判別し（ステップＳ１６）、ＮＯであれば表示部９にエラー表示させるが、ここでもＹＥＳなので圧縮音楽データファイル管理情報の自動登録処理をする。
【００２２】
（２）ディスクボリュームラベルの表示
ステップＳ１６でＹＥＳになると、コントロール部１０は読み取ったディスク管理情報中のディスクボリュームラベルとファイル管理情報登録中であることを示す「ディスクのファイル登録中です」のメッセージを表示させる（ステップＳ１７。図９（１）参照）。ディスクボリュームラベルの表示により、光ディスク１−１の表面又はケース等にディスクボリュームラベルが記されていなかったときはユーザが後で記しておくことができる。
【００２３】
（３）圧縮音楽データファイル管理情報自動登録
次にコントロール部１０はディスク管理情報を参照して該ディスク管理情報中に１番目に登録された圧縮音楽データファイルが有るかチェックし（ステップＳ１８、Ｓ１９）、ここではＹＥＳなので、ディスク読み取り部２を制御して光ディスク１−１からディスク管理情報中に１番目に登録された圧縮音楽データファイル（ここではＭＰ３ファイル＃Ａとする。図２参照）のＩＤ３ｔａｇによる付加文字情報を読み取らせて入力し、今回読み取ったディスクボリュームラベルと、１番目の圧縮音楽データファイルの音楽タイトル名、アーティスト名、アルバム名、ファイル作成日時との組情報がファイル管理情報記憶部８に登録済みかチェックする（ステップＳ２０、２１）。ここではＮＯなので、ファイル管理情報記憶部８に空きがあるかチェックし（図５のステップＳ３０）、ＹＥＳなので、ファイル管理情報記憶部８の空きの内、一番小さいアドレス（＝０）に今回読み取ったディスクボリュームラベルと、１番目の圧縮音楽データファイルの音楽タイトル名、アーティスト名、アルバム名、ファイル作成日時との組情報を書き込んで追加登録する（ステップＳ３１。図３参照）。
【００２４】
このあとコントロール部１０は今回読み取ったディスク管理情報を参照して該ディスク管理情報中に２番目に登録された圧縮音楽データファイルが有るかチェックし（図４のステップＳ２２、Ｓ１９）、ここでもＹＥＳなので、ディスク読み取り部２を制御して光ディスク１−１からディスク管理情報中に２番目に登録された圧縮音楽データファイル（ここではＷＭＡファイル＃Ｂとする。図１参照）のＷＭＡｔａｇによる付加文字情報を読み取らせて入力し、今回読み取ったディスクボリュームラベルと、２番目の圧縮音楽データファイルの音楽タイトル名、アーティスト名、アルバム名、ファイル作成日時との組情報がファイル管理情報記憶部８に登録済みかチェックする（ステップＳ２０、２１）。ＮＯなので、ファイル管理情報記憶部８に空きがあるかチェックし（図５のステップＳ３０）、ＹＥＳなので、ファイル管理情報記憶部８の空きの内、一番小さいアドレス（＝１）に今回読み取ったディスクボリュームラベルと、１番目の圧縮音楽データファイルの音楽タイトル名、アーティスト名、アルバム名、ファイル作成日時との組情報を書き込んで追加登録する（ステップＳ３１。図３参照）。
【００２５】
光ディスク１の残りの圧縮音楽データファイルについても同様にして、ディスクボリュームラベルと、音楽タイトル名、アーティスト名、アルバム名、ファイル作成日時との組情報を書き込んで追加登録する。光ディスク１−１の最後の圧縮音楽データファイルまで登録が終われば、コントロール部１０は表示部９のディスクボリュームラベルと「ディスクのファイル登録中です」の表示を消し、ファイル管理情報自動登録処理を終える（ステップＳ１９でＮＯ、Ｓ２３）。光ディスク１−１に三百曲分の圧縮音楽データファイルが記録されていたとすると、ファイル管理情報記憶部８のアドレス０〜２９９まで組情報が登録される（図３参照）。
【００２６】
以上のディスクボリュームラベル表示とファイル管理情報自動登録処理は、圧縮音楽データファイルが記録された光ディスクがディスク読み取り部２に装てんされる度に実行される。よって、圧縮音楽データファイルが記録された光ディスクであってユーザが過去に一度も装てんしたことのない新たな光ディスクが装てんされる度に、該光ディスクに記録された各圧縮音楽データファイルにつき、当該光ディスクのディスクボリュームラベルと、音楽タイトル名、アーティスト名、アルバム名、ファイル作成日時との組情報が追加登録される。
【００２７】
例えば、光ディスク１−１に代えて１−２を再生させたい場合に、光ディスク１−１を取り出すと装てん／取り出し検出部３から取り出し検出信号を入力したコントロール部１０がステップＳ２４でＹＥＳと判断し、フラグＦ＝0 としてステップＳ１０に戻る（ステップＳ２５）。次に図８の記録内容を有する光ディスク１−２を装てんすると、前述と同様にして、コントロール部１０はフラグＦを立て光ディスク１−２からＴＯＣ情報を含むディスク管理情報を読み取らせて入力し内蔵メモリ（図示せず）に記憶したのちＣＤ−Ｒ又はＣＤ−ＲＷの判別と１以上のＭＰ３ファイル又はＷＭＡファイルが記録されているかの判別をし（ステップＳ１０、Ｓ１２〜Ｓ１４、Ｓ１６）、いずれもＹＥＳなので、ディスクボリュームラベルと「ディスクのファイル登録中です」のメッセージを表示させたのち（ステップＳ１７）、圧縮音楽データファイル管理情報自動登録処理をする。即ち、光ディスク１−２に記録された各圧縮音楽データファイルにつき、光ディスク１−２のディスクボリュームラベルと、音楽タイトル名、アーティスト名、アルバム名、ファイル作成日時との組情報をファイル管理情報記憶部８に追加登録していく（ステップＳ１８〜Ｓ２１、図５のＳ３０、Ｓ３１、図４のＳ２２）。光ディスク１−２の最後の圧縮音楽データファイルまで登録が終われば、コントロール部１０は表示部９のディスクボリュームラベルと「ディスクのファイル登録中です」の表示を消し、ファイル管理情報自動登録処理を終える（ステップＳ２３）。
【００２８】
ここで１枚の光ディスクに記録された圧縮音楽データファイルは高々数百曲であり、ファイル管理情報記憶部８の容量は数万曲分あるので、容量不足に陥ることはないが、万一、ファイル管理情報自動登録処理中にファイル管理情報記憶部８に空きが無くなり図５のステップＳ３０でＮＯとなったとき、コントロール部１０はファイル管理情報記憶部８の内、ファイル作成日時が一番古い組情報が書き込まれたアドレスにディスクボリュームラベルと、音楽タイトル名、アーティスト名、アルバム名、ファイル作成日時との組情報を上書きして登録するようになっている（ステップＳ３２）。
【００２９】
（４）圧縮音楽データファイルの再生
光ディスク１−２の各圧縮音楽データファイルを再生させたい場合、操作部７で連続再生操作をすると、コントロール部１０は連続再生モードをオンし、先に読み取らせたディスク管理情報を参照してディスク読み取り部２とデコーダ部４を制御し、ディスク読み取り部２により光ディスク１−２に記録された各圧縮音楽データファイルの圧縮音楽データをディスク管理情報に登録された順に読み取らせてデコーダ部４に入力させるとともに、デコーダ部４により圧縮形式に応じた伸長をさせて音楽信号を再生出力させる（図６のステップＳ４１でＹＥＳ、Ｓ４３〜Ｓ５０、Ｓ４５〜Ｓ５０の繰り返し）。音楽信号はアンプ部５で電力増幅されヘッドホン６から音響出力される。光ディスク１−２の最後の圧縮音楽データファイルまで再生が終わるか操作部７で停止操作がされたとき、コントロール部１０はディスク読み取り部２とデコーダ部４を制御し、読み取りを停止させるとともに再生出力を停止させ、連続再生モードをオフする（ステップＳ４５でＮＯ又はＳ４７でＹＥＳ、Ｓ５１）。
【００３０】
光ディスク１−２の所望の１つの音楽の圧縮音楽データファイルを再生させたい場合、操作部７で所望音楽の圧縮音楽データファイルの選択を含むダイレクト選曲再生操作をすると、コントロール部１０はダイレクト選曲再生モードをオンし、先に読み取らせたディスク管理情報を参照してディスク読み取り部２とデコーダ部４を制御し、ディスク読み取り部２により光ディスク１−２に記録された所望圧縮音楽データファイルの圧縮音楽データを読み取らせてデコーダ部４に入力させるとともに、デコーダ部３により圧縮形式に応じた伸長をさせて音楽信号を再生出力させる（図６のステップＳ４２でＹＥＳ、Ｓ５２、Ｓ５３）。音楽信号はアンプ部５で電力増幅されヘッドホン６から音響出力される。所望音楽の圧縮音楽データファイルの再生が終わるか操作部７で停止操作がされたとき、コントロール部１０はディスク読み取り部２とデコーダ部４を制御し、読み取りを停止させるとともに再生出力を停止させ、ダイレクト選曲再生モードをオフする（ステップＳ４７でＹＥＳ、Ｓ５１又は、Ｓ４８でＹＥＳ、Ｓ４９、Ｓ５１）。
他の光ディスク１−ｉを再生させたい場合、光ディスク１−２を取り出し光ディスク１−ｉを装てんすれば良い。この際、プレーヤへの装てんが初めてであれば光ディスク１−ｉに記録された各圧縮音楽データファイルにつき、ディスクボリュームラベルと、音楽タイトル名、アーティスト名、アルバム名、ファイル作成日時との組情報がファイル管理情報記憶部８に登録される。
【００３１】
（５）所望音楽の圧縮音楽データファイルの記録された光ディスク検索
ユーザが或る１つの所望音楽の圧縮音楽データファイルが手持ちのどの光ディスクに記録されているか判らず、調べたい場合、光ディスクの装てん中又は未装てん状態において、操作部７で検索モードオン操作をする。すると、コントロール部１０は検索モードをオンし（図４のステップＳ１１でＹＥＳ又は図６のステップＳ４０でＹＥＳ、図７のＳ６０）、図９（２）の如き検索画面を表示部９に表示させる（図７のステップＳ６１）。ユーザは操作部７で検索条件として、所望音楽の音楽タイトル名、アーティスト名、アルバム名の内、任意の１又は複数の項目の音楽案内文字情報を文字入力すれば良い。例えば、アーティスト名として「△△△△」が入力されると、コントロール部１０はファイル管理情報記憶部８の各組情報からアーティスト名が「△△△△」と一致する音楽案内文字情報と組を成すディスクボリュームラベルを全て検索し、表示部９に表示させる（ステップＳ６２〜Ｓ６４）。ファイル管理情報記憶部８の記憶内容が図３の如くなっている場合、アドレス０と３０１の「ａｂｃｄ００００１」と「ａｂｃｄ００００２」が該当し、２つのディスクボリュームラベルが表示される（図１０（１）参照）。
【００３２】
絞り込むため音楽タイトル名として「○○○○」を追加して入力すると、コントロール部１０はファイル管理情報記憶部８の各組情報から音楽タイトル名が「○○○○」、アーティスト名が「△△△△」の組み合わせと一致する音楽案内文字情報と組を成すディスクボリュームラベルを全て検索し、表示部９に表示させる（ステップＳ６２〜Ｓ６４）。アドレス０の「ａｂｃｄ００００１」が該当し、１つのディスクボリュームラベルが表示される（図１０（２）参照）。これによりユーザは所望音楽の音楽案内文字情報を入力するだけの簡単な操作で、所望の圧縮音楽データファイルの記録された光ディスクがどれであるか迅速に把握することができ、検索された光ディスクを装てんして直ぐに所望音楽を再生させることができる。他にも検索したいファイルがあれば先に入力した文字を削除して所望音楽の音楽タイトル名、アーティスト名、アルバム名の内、任意の１又は複数の項目の音楽案内文字情報を文字入力すれば良い。検索を終了したい場合、操作部７で検索モードオフ操作をすればコントロール部１０は、表示部９に表示させた検索画面を消し、検索モードをオフする（ステップＳ６５〜Ｓ６７）。光ディスク未装てんでＦ＝０の場合は図４のステップＳ１０に戻り、光ディスク装てん中でＦ＝１の場合は図６のステップＳ４０に戻る。
【００３３】
上記したディスク検索機能により、たとえ手持ちの光ディスクが多数枚あったとしても、過去に一度でもプレーヤに装てんしたことがあれば、検索時点で所望音楽の圧縮音楽データファイルが記録された光ディスクがプレーヤに装てんされているか否かを問わず、手持ちの光ディスクの中で、所望音楽の圧縮音楽データファイルが記録された光ディスクがどれか正確かつ迅速に把握でき、所望音楽を速やかに聴取することができる。
【００３４】
なお、検索条件としてユーザが所望アーティスト名を入力し、コントロール部１０がファイル管理情報記憶部８からアーティスト名が入力アーティスト名と一致する音楽案内文字情報と組で登録されたディスクボリュームラベルを検索する場合に、ユーザがアーティスト名を成す文字全てを入力し、かつ検索開始キーを押すなどして検索開始操作をしたあとコントロール部１０が検索及び結果の表示処理をするようにしても良いが、検索開始操作を待たずにアーティスト名を成す文字が一文字入力される度に、コントロール部１０はファイル管理情報記憶部８からアーティスト名の先頭から入力文字数分だけ見た文字列が入力文字列と一致する音楽案内文字情報と組で登録されたディスクボリュームラベルを全て検索して表示するようにすれば、より早く所望音楽の圧縮音楽データファイルが記録された光ディスクを見いだすことができる。
【００３５】
この実施例によれば、ポータブルＭＰ３／ＷＭＡプレーヤは、多数のＭＰ３ファイル又はＷＭＡファイルの記録されたＣＤ−Ｒ、ＣＤ−ＲＷの光ディスク１−１、１−２、・・が装填されると、コントロール部１０の制御で自動的にディスクボリュームラベルを含むディスク管理情報と、各圧縮音楽データファイルの付加文字情報が読み出され、書き換え自在で不揮発性のファイル管理情報記憶部８の中に、圧縮音楽データファイル別に、ディスクボリュームラベルと、音楽タイトル名、アーティスト名、アルバム名の３つの項目の音楽案内文字情報及びファイル作成日時とが組にして、重複する組が生じないようにしながら追加記憶される。これにより、ユーザが個々の圧縮音楽データファイル毎に、音楽タイトル名、アーティスト名、アルバム名、ディスクボリュームラベルを入力しなくて済む。ファイル管理情報記憶部８に空きが無くなったとき、ファイル作成日時の古い組情報に上書して追加されるので、比較的作成日時の新しい圧縮音楽データファイルが記録された光ディスクが未登録にならずに済む。そして、所望音楽の圧縮音楽データファイルの記録された光ディスクがどれか調べたいとき、ユーザが操作部７で音楽タイトル名、アーティスト名、アルバム名の内、１又は複数の項目の音楽案内文字情報を入力すると、コントロール部１０がファイル管理情報記憶部８の中から力文字情報と一致する音楽案内文字情報と組にして記憶されたディスクボリュームラベルを全て検索して表示部９に表示する。このディスク検索機能により、たとえ手持ちの光ディスクが多数枚あったとしても、過去に一度でもプレーヤに装てんしたことがあれば、検索時点で所望音楽の圧縮音楽データファイルが記録された光ディスクがプレーヤに装てんされているか否かを問わず、手持ちの光ディスクの中で、所望音楽の圧縮音楽データファイルが記録された光ディスクがどれか正確かつ迅速に把握でき、所望音楽を速やかに聴取することができる。
【００３６】
なお、上記した実施例では圧縮音楽データファイル別に、ディスクボリュームラベルと、音楽タイトル名、アーティスト名、アルバム名の３つの項目の音楽案内文字情報及びファイル作成日時とを組にして登録するようにしたが、ファイル作成日時は省略するようにしても良く、この場合、或る圧縮音楽データファイルについて、ディスクボリュームラベルと、音楽タイトル名、アーティスト名、アルバム名の３つの項目の音楽案内文字情報との組情報をファイル管理情報記憶部に追加しようとして、アドレスｚまで登録済みで空きが無かったときは先頭アドレスに戻って上書きにより追加するようにしても良い。
また、ＭＰ３ファイル、ＷＭＡファイルの圧縮音楽データファイルが記録された光ディスクを対象としたが、これら以外の形式の圧縮音楽データファイルや非圧縮音楽データファイルが記録された光ディスクでも良い。また、ＭＰＥＧ１等の圧縮又は非圧縮の形式の動画付音楽データファイルが記録された光ディスクでも良く、ＭＰＥＧ１の場合、図１のデコーダ部はＭＰＥＧ１形式の圧縮動画付音楽データファイル中の圧縮動画付音楽データを入力し、伸長して音楽信号または音楽信号と映像信号を再生出力するタイプに変更すれば良い。
また、記録媒体はＤＶＤ−Ｒ／ＤＶＤ−ＲＷ等の他の種類の光ディスクや半導体メモリカード、小型ハードディスク装置など、記録媒体識別情報が記録された他の種類のものであっても良い。
また、上記した実施例ではシングルプレーヤを例に挙げて説明したが、記録媒体収納部に複数個の記録媒体を収納可能で、記録媒体を交換しながら再生できるチェンジャ式再生装置にも適用することができる。このチェンジャ式の場合、外部から新たな記録媒体が装てんされる度に、ファイル管理情報自動登録処理を実行することで、記録媒体収納部に現に収納されていない手持ちの記録媒体であっても過去に一度でも装置に装てんしたことがあれば、検索時点で記録媒体収納部に現に収納されているか否かを問わず、手持ちの光ディスクの中で、所望音楽の圧縮音楽データファイルが記録された光ディスクがどれか正確かつ迅速に把握できる。
【産業上の利用可能性】
【００３７】
本発明は、圧縮音楽データファイル等の音楽データファイルの記録された記録媒体の再生機能、或いは圧縮動画付音楽データファイル等の動画付音楽データファイルの記録された記録媒体の再生機能を持つポータブル型、据え置き型、車載型の各種再生装置に適用できる。
【図面の簡単な説明】
【００３８】
【図１】本発明に係るポータブルＭＰ３／ＷＭＡプレーヤの構成を示すブロック図である（実施例１）。
【図２】圧縮音楽データファイルの作成・記録方法の説明図である。
【図３】図１中のファイル管理情報記憶部に記憶される組情報の説明図である。
【図４】図１中のコントロール部１０の制御処理を示すフローチャートである。
【図５】図１中のコントロール部１０の制御処理を示すフローチャートである。
【図６】図１中のコントロール部１０の制御処理を示すフローチャートである。
【図７】図１中のコントロール部１０の制御処理を示すフローチャートである。
【図８】光ディスクの記録内容を示す説明図である。
【図９】表示部の画面表示例を示す説明図である。
【図１０】表示部の画面表示例を示す説明図である。
【符号の説明】
【００３９】
１−１、１−２、・・、１−ｉ、・・  光ディスク
２  ディスク読み取り部
３  装てん／取り出し検出部
４  デコーダ部
７  操作部
８  ファイル管理情報記憶部
９  表示部
１０  コントロール部
【図１】
2005346893.tif 000003
【図２】
2005346893.tif 000004
【図３】
2005346893.tif 000005
【図４】
2005346893.tif 000006
【図５】
2005346893.tif 000007
【図６】
2005346893.tif 000008
【図７】
2005346893.tif 000009
【図８】
2005346893.tif 000010
【図９】
2005346893.tif 000011
【図１０】
2005346893.tif 000012